(57)【要約】【課題】  容易に巻き取ってコンパクトにできると共に、容易に展開して取付板に取り付けることができ、しかも、しわを形成することなく巻取・展開を行い得る筆記ボードを提供することを目的とする。【解決手段】  黒板21又は白板22から成る取付板20に着脱可能に取り付けて使用されるものである。そして、軟質のマグネットシート１と、マグネットシート１の平行な対辺11，11に付設されると共に取付板20に磁力で吸着される縁材２，２と、から成る。また、縁材２は、取付板20に吸着される長尺磁石体と、長尺磁石体が嵌着される溝部を有すると共にマグネットシート１の対辺11，11が取着されるストレート状の縁材本体と、から成る。【選択図】  図１
2005169852.tif 000002
【特許請求の範囲】
【請求項１】
黒板（21）又は白板（22）から成る取付板（20）に着脱可能に取り付けて使用される筆記ボードに於て、
軟質のマグネットシート（１）と、該マグネットシート（１）の平行な対辺（11)(11）に付設されると共に上記取付板（20）に磁力で吸着される縁材（２)(２）と、から成ることを特徴とする筆記ボード。
【請求項２】
上記縁材（２）は、上記取付板（20）に吸着される長尺磁石体（３）と、該長尺磁石体（３）が嵌着される溝部（５）を有すると共に上記マグネットシート（１）の上記対辺（11)(11）が取着されるストレート状の縁材本体（４）と、から成る請求項１記載の筆記ボード。
【請求項３】
上記縁材（２）は、上記取付板（20）から分離する際の摘まみ突片部（14）を有する請求項１又は２記載の筆記ボード。
【請求項４】
上記縁材（２）をロール芯として、上記マグネットシート（１）がロール状に巻き取り可能である請求項１，２又は３記載の筆記ボード。
【発明の詳細な説明】
【技術分野】
【０００１】
本発明は、学校等の黒板や白板等から成るメインの取付板に、磁力で吸着されて使用される筆記ボードに関するものである。
【背景技術】
【０００２】
従来の筆記ボードは、取付用の黒板本体の周囲にフレーム部材を付設して、夫々のフレーム部材を接続する４隅の接続具を永久磁石で形成して、取付板に吸着され使用されるものが知られている（例えば、特許文献１参照）。
【特許文献１】登録実用新案第３０２２７４１号公報
【発明の開示】
【発明が解決しようとする課題】
【０００３】
この従来の筆記ボードは、取付用の黒板本体、フレーム部材とも硬質なので、使用されない場合も、同じ大きさのまま運ばなければならず、手間が掛かり、また、コンパクトに収納できない。
【０００４】
そこで、本発明は、容易に巻取ってコンパクトにできると共に、容易に展開して取付板に取り付けることができ、しかも、皺を形成することなく巻取・展開を行い得る筆記ボードを提供することを目的とする。
【課題を解決するための手段】
【０００５】
上記の目的を達成するために、本発明に係る筆記ボードは、黒板又は白板から成る取付板に着脱可能に取り付けて使用される筆記ボードに於て、軟質のマグネットシートと、該マグネットシートの平行な対辺に付設されると共に上記取付板に磁力で吸着される縁材と、から成る。
【０００６】
また、上記縁材は、上記取付板に吸着される長尺磁石体と、該長尺磁石体が嵌着される溝部を有すると共に上記マグネットシートの上記対辺が取着されるストレート状の縁材本体と、から成る。
また、上記縁材は、上記取付板から分離する際の摘まみ突片部を有する。
そして、上記縁材をロール芯として、上記マグネットシートがロール状に巻き取り可能である。
【発明の効果】
【０００７】
本発明は、次のような著大な効果を奏する。
筆記ボードを、容易に展開して黒板や白板から成る取付板に取り付けることができ、また、縁材をロール芯とすれば、マグネットシートを容易にロール状に巻き取ることができる。
また、展開する際に、上記縁材を中心に回転しつつ、取付板にマグネットシートを順次吸着できるので、マグネットシートに皺が形成されることがなく、マグネットシートの表て面にチョーク等で書き易く、また、巻き取る際にも皺が形成されないので、スムーズに、かつコンパクトに巻き取ることができる。
【発明を実施するための最良の形態】
【０００８】
以下、実施の形態を示す図面に基づき、本発明を詳説する。
図１〜図４に示すように、筆記ボード10は、軟質のマグネットシート１と、マグネットシート１の平行な左右の対辺11，11に付設されると共に取付板20に磁力で吸着される縁材２，２と、から成る。
筆記ボード10は、図例では、横長状であり、大きさは、幅寸法Ｌを1100mm乃至1200mmに設定し、高さ寸法Ｈを 800mm乃至 900mmに設定するのが好ましい。
【０００９】
縁材２は、黒板21や白板22の鉄鋼等の磁性体から成る取付板20に吸着される長尺磁石体３と、長尺磁石体３が付設されると共にマグネットシート１の対辺11，11が取着されるストレート状の縁材本体４と、から成る。
長尺磁石体３は、横断面一文字状の帯状体のゴム磁石から成り、また、縁材本体４は、細板形状で、プラスチック等の硬質の材質から成る。
【００１０】
具体的には、縁材本体４の表て側４ａは、内方側へ緩やかな傾斜状に形成されている。  さらに、縁材本体４の表て側４ａは、外方側に、取付板20から分離する際の摘まみ突片部14が、外方へ突設されている。
ここで、縁材本体４に於て、上記内方側とは、筆記ボード10の中心に向かう側であり、外方側は、内方側の反対側とする。
【００１１】
また、縁材本体４は、取付板20に吸着される裏側４ｂに、長手方向に沿って形成された溝部５を有しており、溝部５には、長尺磁石体３が嵌着される。
嵌着する方法の一例として、長尺磁石体３であるゴム磁石を高温にして、柔らかいうちに溝部５に嵌入する方法がある。
長尺磁石体３の裏側13と、縁材本体４の裏側４ｂは、連続平坦面となるように構成される。
【００１２】
また、縁材本体４は、内方側に、長手方向に沿って形成された表て側突条壁15及び裏側突条壁16とを有し、両突条壁15，16が、内方側へ開口状の狭溝部６を構成している。そして、マグネットシート１の対辺11が、狭溝部６に嵌入されて、両突条壁15，16によって強固に挟着される。なお、接着剤を用いたり、ビス等を用いてもよい。
図例では、表て側突条壁15が、裏側突条壁16よりも、内方側に長く形成されており、（後述するように）縁材２でマグネットシート１がロール状に巻き取られる際に、マグネットシート１の対辺11が表て側突条壁15の内端辺15ａに当接し、マグネットシート１は隙間なく巻取状になる（図４参照）。
【００１３】
なお、図５に示すように、マグネットシート１は筆記用表面層26とマグネット層27を積層一体化した構造である。
また、筆記用表面層26は、それが白板用としては（マーカー用として）滑らかな平滑面であり、グリーン板（黒板）用としては、（チョークで書き易い）粗面とする。
【００１４】
次に、この筆記ボード10の使用方法について説明する。
図２（ロ）は、筆記ボード10がロール状に巻き取られた状態を示す。
この図２（ロ）の状態の筆記ボード10を、取付板20に取り付ける方法として、一方の（ロール芯となっていない側の）縁材２を、縦状態で取付板20に（長尺磁石体３により）吸着させ、図２（イ），図４に示すように、マグネットシート１の裏面１ｂを取付板20に吸着させながら矢印８の方向に展開していく。
そして、ロール芯となっていた側の縁材２を、取付板20に吸着させて（図３参照）、筆記ボード10を、図１の状態にして、使用する。
この展開の際に、マグネットシート１は、ストレート状で硬質な縁材２がロール芯となっているので、皺が形成されずに取付板20に吸着される。
【００１５】
次に、片付ける場合は、図１，図３の状態から、片方の縁材２の突片部14を摘まみ、表て側（前方）に剥がして、その縁材２をロール芯として、矢印８の逆方向へ、ロール状に巻き取る（図２（イ），図４参照）。
このとき、マグネットシート１は、表て面１ａが縁材本体４の突片部14の外端辺14ａに当接すると共に表て側突条壁15の内端辺15ａに当接し、確実に均等なロール状となる。
そして、筆記ボード10を、図２（ロ）の状態に巻き取り、取付板20から剥がせば、狭所等にも収納可能である。
なお、図示省略するが、上記の筆記ボード10は、高さ寸法Ｈを幅寸法Ｌよりも大きく設定してもよく、例えば、幅寸法Ｌを 800mm乃至 900mmとし、高さ寸法Ｈを1100mm乃至1200mmとしてもよい。
【００１６】
以上のように、本発明の筆記ボードは、黒板21又は白板22から成る取付板20に着脱可能に取り付けて使用される筆記ボードに於て、軟質のマグネットシート１と、マグネットシート１の平行な対辺11，11に付設されると共に取付板20に磁力で吸着される縁材２，２と、から成るので、筆記ボード10を、容易に展開して取付板20に取り付けることができ、また、容易にロール状に巻取ることができる。
また、展開する際に、マグネットシート１に皺が形成されることがないので、マグネットシート１の表て面１ａに書き易く、また、巻取る際にも皺が形成されないので、スムーズに、かつコンパクトに巻き取ることができる。
【００１７】
また、縁材２は、取付板20に吸着される長尺磁石体３と、長尺磁石体３が嵌着される溝部５を有すると共にマグネットシート１の対辺11，11が取着されるストレート状の縁材本体４と、から成るので、簡素な構造でありながら、筆記ボード10を確実に取付板20に取り付けることができ、しかも、マグネットシート１の対辺11，11を補強することができるので、使用する際に、マグネットシート１に皺が形成されず、好都合である。
【００１８】
また、縁材２は、取付板20から分離する際の摘まみ突片部14を有するので、取付板20から縁材２を剥がし易く、作業の効率が良くなる。
【００１９】
また、縁材２をロール芯として、マグネットシート１がロール状に巻き取り可能であるので、筆記ボード10の巻取・展開作業を、容易かつ迅速に行うことができ、両作業中マグネットシート１に皺が形成されない。
【図面の簡単な説明】
【００２０】
【図１】本発明に係る筆記ボードの実施の一形態を示す正面図である。
【図２】筆記ボードの巻取・展開状態を示す説明用正面図である。
【図３】図１のＡ−Ａ拡大断面図である。
【図４】図２（イ）のＢ−Ｂ拡大断面図である。
【図５】要部拡大断面図である。
【符号の説明】
【００２１】
１  マグネットシート
２  縁材
３  長尺磁石体
４  縁材本体
５  溝部
11  対辺
14  突片部
20  取付板
21  黒板
22  白板
【図１】
2005169852.tif 000003
【図２】
2005169852.tif 000004
【図３】
2005169852.tif 000005
【図４】
2005169852.tif 000006
【図５】
2005169852.tif 000007